(57)【要約】【課題】包袋に詰めて出荷される精米に対する商品としての信頼性を向上することが可能となる精米設備の管理システムを提供する。【解決手段】原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えた精米設備の管理システムにおいて、前記管理手段が、包袋に詰める原料米の原料米情報を管理して、その原料米情報又はその原料米情報と連係付けた識別用情報を包袋に付する情報添付処理を行うように構成されている。【選択図】      図１
2004305899.tif 000002
【特許請求の範囲】
【請求項１】
原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えた精米設備の管理システムであって、前記管理手段が、前記包袋に詰める原料米の原料米情報を管理して、その原料米情報又はその原料米情報と連係付けた識別用情報を前記包袋に付する情報添付処理を行うように構成されている精米設備の管理システム。
【請求項２】
原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えた精米設備の管理システムであって、
前記管理手段が、前記受入処理から前記包装処理までの生産過程情報を管理して、その生産過程情報又はその生産過程情報に連係付けた識別用情報を前記包袋に付する情報添付処理を行うように構成されている精米設備の管理システム。
【請求項３】
原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えた精米設備の管理システムであって、
前記管理手段が、前記包袋に詰める原料米の性状情報を管理して、その性状情報又はその性状情報と連係付けた識別用情報を前記包袋に付する情報添付処理を行うように構成されている精米設備の管理システム。
【請求項４】
前記情報添付処理が、包装処理後の包袋に対して行われる請求項１〜３のいずれか１項に記載の精米設備の管理システム。
【請求項５】
前記包袋は、その周縁部に通気孔を備えて構成され、
前記情報添付処理が、前記包袋の中央部に対して行われる請求項１〜４のいずれか１項に記載の精米設備の管理システム。
【請求項６】
前記包装処理後の包袋が載置搬送されるように構成され、
前記情報添付処理が、その載置搬送される包袋の下面に対して行われる請求項１〜５のいずれか１項に記載の精米設備の管理システム。
【請求項７】
前記情報添付処理が、紫外線が照射されることにより可視状態となるインクを用いて行われる請求項１〜６のいずれか１項に記載の精米設備の管理システム。
【請求項８】
前記管理手段は、前記受入処理、前記原料米貯蔵処理、前記精米処理、前記精米貯蔵処理、前記包装処理の夫々についての処理情報を、関連する処理同士を関連付けて識別できる関連識別情報を付する状態で作成して管理するように構成され、前記識別用情報が、包装処理の処理情報である請求項１〜７のいずれか１項に記載の精米設備の管理システム。
【発明の詳細な説明】
【０００１】
【発明の属する技術分野】
本発明は、原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えた精米設備の管理システムに関する。
【０００２】
【従来の技術】
この種の精米設備は、外部から搬入されてくる玄米等の原料米を受け入れて貯蔵しておき、その原料米を精米処理した後にその精米処理後の精米を貯蔵し、更に、その精米を設定量づつ包袋に袋詰めして包装された状態で出荷するまでの一連の処理を、原料米及び精米処理後の精米を搬送しながら自動で行うことができるようにした設備である。
【０００３】
このような精米設備において、従来では、前記管理手段が、受け入れた原料米についての品質、例えば異色粒の混入割合や胴割れ率等を計測してその計測結果を記憶して表示装置や印字装置にて出力するようにしたり、その計測結果に応じて、精米処理の条件を変更させたり異色粒を除去するような選別処理を行うことによって出荷される精米の品質が良好に維持されるように管理する構成としている（例えば、特許文献１参照。）。
【０００４】
そして、従来では、精米が袋詰めされる包袋には、その外表面に外部から目視できるように、包袋に収納される精米の原料となる原料米の生産年度、品種、生産地、異なる品種の精米をブレンドしているときにはそのブレンド比率等の情報、及び、包装処理が行われた日付等が記載されるようになっていた。
【０００５】
【特許文献１】
特開昭６０−１７９１５１号公報
【０００６】
【発明が解決しようとする課題】
このような精米設備においては、前記管理手段は、当該設備に受け入れられて処理される対象となる原料米についての原料米情報、すなわち、原料米の生産年度、品種、生産地の情報に加えて、どのような日時に受け入れられたものであるかについての情報等も含む原料米情報について管理しながら、そのような原料米が各処理工程でどのような処理が行われたかについても管理するようになっている。更に、前記管理手段は、当該設備に受け入れられて処理される対象となる原料米の性状情報がどのようなものであるかについて計測が行われ、その計測された性状情報についても前記管理手段が管理するようになっている。前記性状情報とは、例えば、含有水分、食味値、着色粒や砕粒等の不良粒の割合等を示す品質、白度等の各種の情報がある。
【０００７】
しかしながら、上記従来構成においては、包袋の外表面には原料米の生産年度、品種、生産地、包装処理が行われた日付等については記載されるものであるため、どのような原料米を用いて生産されたものであるかについて判断することができないものであり、包袋に詰めて商品として出荷される精米に対する商品としての信頼性が低いものとなる不利があった。
【０００８】
説明を加えると、包装処理によって所定量づつ精米を包袋に包装する包装処理を行う場合、上記したような原料米の生産年度、品種、生産地、及び、包装処理が行われた日付等が予め記載されている包袋を用いて包装処理を行うようになっているが、原料米の生産年度、品種、生産地、包装処理が行われる日が同じであっても、例えば１日のうちで午前中に包装処理が行われる製品と午後に包装処理が行われるときの製品とが、互いに異なる原料米を用いた製品になることがある。その結果、その包袋に収納される精米がどのような日時に当該設備に受け入れられた原料米を使用しているかについては、包袋に記載された原料米の生産年度、品種、生産地、及び、包装処理が行われた日付等からだけでは判断することができないものになるのである。
【０００９】
又、上記従来構成では、包袋に記載される前記製品情報から上記したような原料米情報を特定することができないだけでなく、その包袋に詰めて収納されている精米がどのような生産過程を経て生産されたものであるかについて、消費者から求められたような場合において、そのような情報について提示することができないものであり、このような点においても、包袋に詰めて商品として出荷される精米に対する商品としての信頼性が低いものとなる不利があった。
【００１０】
更に、上記従来構成では、原料米の性状情報がどのようなものであるかについての情報について消費者から求められたような場合において、そのような情報について提示することができないものであり、このような点においても、包袋に詰めて商品として出荷される精米に対する商品としての信頼性が低いものとなる不利があった。
【００１１】
本発明はかかる点に着目してなされたものであり、その目的は、包袋に詰めて出荷される精米に対する商品としての信頼性を向上することが可能となる精米設備の管理システムを提供する点にある。
【００１２】
【課題を解決するための手段】
請求項１に記載の精米設備の管理システムは、原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えたものであって、前記管理手段が、前記包袋に詰める原料米の原料米情報を管理して、その原料米情報又はその原料米情報と連係付けた識別用情報を前記包袋に付する情報添付処理を行うように構成されていることを特徴とする。
【００１３】
すなわち、管理手段は、原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理するとともに、包袋に詰める原料米の原料米情報を管理して、その原料米情報又はその原料米情報と連係付けた識別用情報を包袋に付する情報添付処理を行うように構成されているので、包袋に詰めて出荷されるときに、各包袋には前記原料米情報又は前記識別用情報が付された状態で出荷されることになる。
【００１４】
この原料米情報としては、原料米の生産年度、生産地、品種等の情報に加えて、例えば、当該設備に受け入れた日時の情報を含むものであり、例えば、受け入れたときにどのような品質を有しているかについて内容を特定する等、使用する原料米がどのような原料米であるかを特定することができる情報である。又、前記識別用情報とは、このような原料米情報と対応付けて管理される情報であってその情報から原料米を識別することが可能な情報である。
【００１５】
従って、包袋に詰めた状態で出荷された後においても、その包袋に付された前記原料米情報又は前記識別用情報を確認することで、その包袋に収納されている精米がどのような原料米を用いて生産されたものであるかを確認することが可能であり、包袋に詰めて商品として出荷される精米に対する商品としての信頼性が高いものとなる。
【００１６】
請求項２に記載の精米設備の管理システムは、原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えたものであって、前記管理手段が、前記受入処理から前記包装処理までの生産過程情報を管理して、その生産過程情報又はその生産過程情報に連係付けた識別用情報を前記包袋に付する情報添付処理を行うように構成されていることを特徴とする。
【００１７】
すなわち、管理手段は、原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理するとともに、前記受入処理から前記包装処理までの生産過程情報を管理して、その生産過程情報又はその生産過程情報に連係付けた識別用情報を前記包袋に付する情報添付処理を行うように構成されているので、包袋に詰めて出荷されるときに、各包袋には前記生産過程情報又は前記識別用情報が付された状態で出荷されることになる。
【００１８】
従って、包袋に詰めた状態で出荷された後においても、その包袋に付された前記生産過程情報又は前記識別用情報を確認することで、その包袋に収納されている精米がどのような生産過程を経て生産されたものであるかを追跡することを容易に行うことが可能であり、包袋に詰めて商品として出荷される精米に対する商品としての信頼性が高いものとなる。
【００１９】
請求項３に記載の精米設備の管理システムは、原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理する管理手段を備えたものであって、前記管理手段が、前記包袋に詰める原料米の性状情報を管理して、その性状情報又はその性状情報と連係付けた識別用情報を前記包袋に付する情報添付処理を行うように構成されていることを特徴とする。
【００２０】
すなわち、管理手段は、原料米の受入処理、受け入れた原料米を貯蔵する原料米貯蔵処理、原料米の精米処理、精米処理後の精米を貯蔵する精米貯蔵処理、精米を包袋に詰めて出荷する包装処理、及び、上記各処理間で原料米及び精米を搬送する搬送処理の夫々を管理するとともに、包袋に詰める原料米の性状情報を管理して、その性状情報又はその性状情報と連係付けた識別用情報を前記包袋に付する情報添付処理を行うように構成されているので、包袋に詰めて出荷されるときに、各包袋には前記性状情報又はその性状情報と連係付けた識別用情報が付された状態で出荷されることになる。ちなみに、前記性状情報とは、例えば、含有水分、食味値、着色粒や砕粒等の不良粒の割合等を示す品質、白度等の各種の情報がある。
【００２１】
従って、包袋に詰めた状態で出荷された後においても、その包袋に付された前記性状情報又はその性状情報と連係付けた識別用情報を確認することで、その包袋に収納されているものが、どのような性状を有するものであるかを確認することが可能であり、包袋に詰めて商品として出荷される精米に対する商品としての信頼性が高いものとなる。
【００２２】
請求項４記載の精米設備の管理システムは、請求項１〜３のいずれかにおいて、前記情報添付処理が、包装処理後の包袋に対して行われることを特徴とする。
【００２３】
すなわち、精米を包袋に詰めて出荷する包装処理の後で、その包袋に対して情報添付処理が行われて上記したような管理手段にて管理されている上記したような識別用情報等の各情報が付されることになるので、個々の包袋についてその中に収納されている精米と包袋に付される前記各情報とを対応付けた状態で前記情報添付処理を行うことができる。従って、包袋に付される前記各情報と包袋の中に収納されている精米とを常に適正な状態で対応させることができ、それだけ商品としての信頼性がより高いものとなる。
【００２４】
請求項５記載の精米設備の管理システムは、請求項１〜４のいずれかにおいて、前記包袋は、その周縁部に通気孔を備えて構成され、前記情報添付処理が、前記包袋の中央部に対して行われることを特徴とする。
【００２５】
すなわち、精米が収納される包袋は密閉状で塞がれていると、複数の包袋が複数積層される状態で積み上げられるような場合に大きな荷重によって内圧が上昇して包袋が損傷するおそれがあるが縁部に沿って通気孔を備えることによって内部に残る空気を逃がすことでこのような不利を回避できるようにしている。そして、前記情報添付処理が包袋の中央部に対して行われるようにしているので、上記したような包袋が損傷する不利を回避しながらも通気孔を通して包袋の内部にインクが侵入して包袋の中の精米が汚されることを回避させた状態で適切に情報添付処理を行うことができる。
【００２６】
請求項６記載の精米設備の管理システムは、請求項１〜５のいずれかにおいて、前記包装処理後の包袋が載置搬送されるように構成され、前記情報添付処理が、その載置搬送される包袋の下面に対して行われることを特徴とする。
【００２７】
すなわち、包装処理が行われた後において載置搬送される包袋の下面に対して情報添付処理が行われるのである。尚、印字装置等を用いて情報添付処理を行う場合であれば、搬送載置面が包袋の下面の全域を被っていると情報添付処理が行い難いものとなるが、搬送載置面を分割してその隙間から情報添付処理を行うようにすると処理が可能となる。
【００２８】
例えば、載置搬送されるときの包袋の上面に対して情報添付処理を行うようにすると、情報添付用の装置と情報付与対象である包袋の表面との間の距離が包袋の大きさや収納量の違い等によって変化することがあり、情報添付処理が行い難いものとなるが、載置搬送される包袋の下面に対して情報添付処理を行うようにすると、載置搬送されるときの包袋の下面の位置は常に一定であるから、情報添付処理を行うための例えば印字手段等の情報添付用の装置と情報付与対象である包袋の下面との間の相対位置関係が常に同じになるので、情報添付処理を安定した状態で適正に行い易いものにできる。
【００２９】
請求項７記載の精米設備の管理システムは、請求項１〜６のいずれかにおいて、前記情報添付処理が、紫外線が照射されることにより可視状態となるインクを用いて行われるものであることを特徴とする。
【００３０】
すなわち、紫外線が照射されることにより可視状態となるインクを用いて、前記情報が包袋に付されることになり、その処理が終了した後に包袋が出荷されることになる。そして、出荷された後において前記識別情報を確認する場合には、前記インクに紫外線を照射することによって前記識別情報を目視で確認することができるのである。
【００３１】
このように、紫外線が照射されることにより可視状態となるインクを用いて前記情報添付処理が行われることから、前記識別情報を外部から目で見ることができないものにすることができ、例えば、包袋に、品種や生産年度等の情報に加えて商品名等が予め印刷されており、前記識別情報を新たに印字するためのスペースが取れないような場合に、それらの予め印刷されている印刷内容の上側に前記識別情報を印字するようにしても、それらの印刷内容を上側から隠したりすることがなく、消費者が見た場合における商品としての外観品位を悪化させるおそれもない。
【００３２】
従って、印字場所に制約を受けたり、予め包袋に印刷されている別の情報を隠したりする等の不利のない状態で前記識別用情報を確実に包袋に付することが可能となる。
【００３３】
請求項８記載の精米設備の管理システムは、請求項１〜７のいずれかにおいて、前記管理手段は、前記受入処理、前記原料米貯蔵処理、前記精米処理、前記精米貯蔵処理、前記包装処理の夫々についての処理情報を、関連する処理同士を関連付けて識別できる関連識別情報を付する状態で作成して管理するように構成され、前記識別用情報が、包装処理の処理情報であることを特徴とする。
【００３４】
すなわち、前記受入処理、前記原料米貯蔵処理、前記精米処理、前記精米貯蔵処理、前記包装処理の夫々についての処理情報が、関連する処理同士を関連付けて識別できる関連識別情報を付する状態で作成されることになる。
前記受入処理の処理情報としては、例えば、処理が開始される日付及び時間の情報や処理が終了した日付け及び時間の情報に加えて、原料米の生産地や品種の情報等や受入れた原料米について計測された性状情報等が備えられ、前記原料米貯蔵処理の処理情報としては、処理が開始される日付け及び時間の情報や処理が終了した日付及び時間の情報に加えて、どのような原料米がどの貯蔵場所にどのような重量にて貯蔵されているかについての情報やそのときに計測された性状情報等がある。
【００３５】
そして、前記精米処理の処理情報としては、処理が開始される日付及び時間の情報や処理が終了した日付及び時間の情報に加えて、どの貯蔵場所に貯蔵されていた原料米をどれだけの量精米したかについての情報やそのときに計測された性状情報等があり、前記精米貯蔵処理の処理情報としては、処理が開始される日付け及び時間の情報や処理が終了した日付及び時間の情報に加えて、どのような原料米がどれだけの量だけ精米されてどの貯蔵場所に貯蔵されているかについての情報やそのときに計測された性状情報等がある。
【００３６】
更に、複数の処理のうちの最後の処理である前記包装処理の処理情報としては、処理が開始される日付け及び時間の情報や処理が終了した日付及び時間の情報に加えて、どの貯蔵場所に貯蔵されている精米をどれだけの量使用して、包装処理が行われたかについての情報やそのときに計測された性状情報、又、そのときの包袋の個数等の情報等がある。そして、この包装処理の処理情報が前記識別用情報として前記包袋に付されることになる。
【００３７】
このようにして各処理についての処理情報が、関連する処理同士を関連付けて識別できる関連識別情報を付する状態で作成されることになるので、最終の処理である包装処理についての処理情報が判ると、それに関連する各処理情報を確認することにより、その包袋に収納されている精米が、どのような原料米を用いているものであるか、各処理工程でどのような経過を経て生産されたものであるか、又は、どのような性状情報を有するものであるかといった情報を容易に確認することが可能となる。
【００３８】
従って、複数の処理の全ての処理情報を付する必要がなく、複数の処理の最後の処理である前記包装処理についての処理情報を包袋に付するだけで、前記原料米情報、前記生産過程情報又は前記性状情報を容易に確認することが可能となる。
【００３９】
【発明の実施の形態】
【００４０】
〔第１実施形態〕
以下、本発明に係る精米設備の第１実施形態について図面に基づいて説明する。
精米設備は、図１に示すように、外部から搬入される原料米としての玄米を受入れて、その玄米を精米処理して所定量づつ袋詰めした状態で出荷するための設備であり、原料米としての玄米の受入処理を行う受入処理部１、受け入れた玄米を貯蔵する原料米貯蔵処理を行う玄米貯蔵部２、玄米の精米処理を行う精米処理部３、精米処理後の精米を貯蔵する精米貯蔵処理を行う精米貯蔵部４、精米を包袋に詰めて出荷する包装処理を包装処理部５、及び、上記各処理間で玄米及び精米を搬送する搬送処理を行う搬送手段夫々が備えられ、且つ、前記受入処理、原料米貯蔵処理、精米処理、精米貯蔵処理、包装処理、及び、搬送処理の夫々を管理する管理手段としての管理装置６を備えて構成されている。
【００４１】
次に、図２、図３、図４を参照しながら前記各部の構成について説明する。
尚、この精米設備では、玄米の受入から包装処理までの一連の処理を行う処理系統が大別してＡライン及びＢラインの２つの処理系統が備えられ、玄米の不良物選別処理用の処理構成以外は同じ構成であるから、そのうちの１つのラインについて構成を説明し、同じ構成については説明は省略する。
【００４２】
前記受入処理部１は、玄米を受け入れる荷受けホッパー７、荷受けホッパー７からの玄米を横送りする荷受けコンベア８、玄米を揚送する計量用揚送コンベア９、受け入れた玄米を計量する荷受け用計量機１０、計量済みの玄米を揚送する貯留用揚送コンベア１１、受け入れた玄米を一旦貯留する複数の玄米荷受けタンク１２が夫々備えられている。
【００４３】
前記玄米貯蔵部２は、前記受入処理部１における玄米荷受けタンク１２から排出される玄米を揚送する選別用揚送コンベア１３、玄米から藁屑等を除去するための粗選機１４、異物が除去された玄米を揚送する石抜き用揚送コンベア１５、玄米から小石等を除去するための石抜き機１６、玄米計量用の揚送コンベア１７、選別処理後の玄米の重量を計測する選別玄米用計量機１８、玄米を揚送する貯蔵用揚送コンベア１９、玄米を貯蔵する複数の玄米貯蔵タンク２０、この玄米貯蔵タンク２０から排出される玄米を横送りして排出させる排出用搬送コンベア２１等を備えて構成されている。
【００４４】
前記精米処理部３は、前記玄米貯蔵部２における排出用搬送コンベア２１から排出されてくる精米処理の対象となる玄米を揚送する揚送コンベア２２、玄米の重量を計測する処理用玄米計量機２３、精米処理用の揚送コンベア２４、玄米を精米処理するために連続処理するように並べて設置される３台の精米機２５、計量用の揚送コンベア２６、精米処理が終了した後の玄米の重量を計測する歩留り用の計量機２７、選別処理用の揚送コンベア２８、破砕された小粒等の不良粒を分離して取り除くロータリシフター２９、選別処理用の揚送コンベア３０、着色粒などを除去する色彩選別機３１、揚送コンベア３２、選別処理後の精米の重量を計測する精米計量機３３等を備えて構成されている。
【００４５】
前記精米貯蔵部４は、精米計量機２７から送り出される精米を揚送する貯蔵用の揚送コンベア３４、精米を貯蔵する複数の精米貯蔵タンク３５、精米貯蔵タンク３５から排出される玄米を横送りして排出させる排出用搬送コンベア３６、排出用搬送コンベア３６から送り出される精米を揚送する異物除去用の揚送コンベア３７、精米中に含まれるガラス粒や小さい異物等を除去する異物除去装置３８、貯蔵用揚送コンベア３９、最終的な製品としての精米を貯蔵する複数の製品貯蔵タンク４０、この製品貯蔵タンク４０から排出される精米を横送りして排出させる排出用搬送コンベア４１等を備えて構成されている。尚、前記複数の精米貯蔵タンク３５及び複数の製品貯蔵タンク４０の夫々には、排出口から排出される精米の重量を計測する計量機４２が各別に備えられて、夫々のタンクから排出される精米の重量を計測することができる構成となっている。
【００４６】
前記包装処理部５は、前記精米処理部３における排出用搬送コンベア４１から排出されてくる精米を揚送する包装用揚送コンベア４３、精米中に含まれる金属を探知して除去する金属検出機４４、精米を一時貯留する包装用タンク４５、精米を所定量づつ包袋に袋詰めする自動袋詰め装置４６、精米が袋詰めされた包袋の外形を整える整袋部４７、外形が整えられた包袋を載置搬送しながら包袋に後述するような識別用情報を印字する印字部４８等を備えて構成されている。
【００４７】
前記整袋部４７の構成について説明を加えると、図５、図６に示すように、自動袋詰め装置４６によって精米が袋詰めされた包袋がベルトコンベア４９によって載置搬送される途中で搬送幅中央位置に包袋を移動させる中央寄せ具５０が設けられ、その搬送方向下手側に、板面が水平姿勢となるように支持される押え板５１が上下方向に設定範囲にわたり水平姿勢を維持したまま昇降操作される状態で設けられて載置搬送されてくる包袋を上方側から押え板５１で押えて下面側が扁平状態となるように包袋の形状を整えるようにした整袋装置５２が設けられている。前記中央寄せ具５０は後述する印字部４８における中央寄せ具５４と同じ構成を有するものである。
【００４８】
そして、前記印字部４８は、この整袋部４７から引き続いて包袋をベルトコンベア５３により載置搬送しながら搬送幅中央位置に包袋を移動させる中央寄せ具５４が設けられ、その搬送方向下手側に、後述するような識別用情報を包袋の搬送幅方向中央部に対応する箇所に対して行うようにインクジェット式の印字装置５５が設けられている。この印字部４８におけるベルトコンベア５３は、幅方向中央部にて分離された左右一対の回動ベルト５３ａ，５３ａにて構成され、それら一対の回動ベルト５３ａ，５３ａの間の隙間部分から前記インクジェット式の印字装置５５によって包袋の下面に印字を行う構成となっている。そして、図７に示すように、前記左右一対の回動ベルト５３ａ，５３ａには、内周面側に回動方向に沿って突条５３ｂが形成され、ベルトを巻回案内するローラ５６には外周部に前記突条５３ｂが嵌り込む凹溝５７が形成され、精米が収納されている包袋ｈが中央寄せ具５４により幅方向に移動されることがあっても回動ベルト５３ａが横ずれしないように構成されている。
上述したような各部に備えられた各コンベアにより、上記各処理間で玄米及び精米を搬送する搬送処理を行う搬送手段が構成される。
【００４９】
次に、前記管理装置６による設備の管理用構成について説明する。
この管理装置６は、原料米としての玄米の受入処理、受け入れた玄米を貯蔵する原料米貯蔵処理、玄米の精米処理、精米処理後の精米を貯蔵する精米貯蔵処理、精米を包袋に詰めて出荷する包装処理、及び、上記各処理間で玄米及び精米を搬送する搬送処理の夫々を管理するように構成されている。そして、この管理装置は、包袋に詰める玄米の原料米情報、及び、前記受入処理から前記包装処理までの生産過程情報を管理して、原料米情報と連係付けた識別用情報並びに生産過程情報に連係付けた識別用情報を包袋に付する情報添付処理を行うように構成されている。
【００５０】
そして、管理装置６は、前記受入処理、前記原料米貯蔵処理、前記精米処理、前記精米貯蔵処理、前記包装処理の夫々についての処理情報を、関連する処理同士を関連付けて識別できる関連識別情報を付する状態で作成して管理するように構成され、包装処理の処理情報を前記識別用情報として情報添付処理を行うように構成されている。
【００５１】
すなわち、この精米設備においては、管理装置は、前記各処理部における各種の具体的な処理内容について、それらの処理の対象となる原料米情報と常に対応付けながら管理するとともに、受入処理から包装処理までの生産過程情報を関連付けながら管理するように構成されている。つまり、関連する処理同士を関連付けて識別できる関連識別情報、並びに、各処理の情報としてジョブナンバーという識別用の番号を用いて管理するようにしている。
【００５２】
次に、具体例を用いながら管理装置６による処理の具体的な内容について説明する。尚、精米設備において行われる実際の処理内容としては、下記のような処理以外にも多くの処理があるが、ここでは、理解し易くするために、代表的な処理についてジョブナンバーを付した場合について説明する。
【００５３】
先ず、最初に各処理情報の基となるのは、搬入されてくる原料米についての原料米情報、つまり、原料米としての玄米の情報である。この玄米の情報は搬入される前に予め判明しており、作業員がキー入力装置にて手作業で入力するようにしたり、あるいは、通信手段を介して通信によって入力される等の種々の方法によって管理装置６に入力されて管理されることになる。この原料米の情報としては、玄米の生産年度、産地、品種、この玄米が当該精米設備に受け入れた日時等の情報を含むものである。具体例としては、例えば「平成１３年産、新潟県産、コシヒカリ、等級、食味値、減農薬であるか否かについての情報、平成１４年１月２７日○時○分受付」等がある。
【００５４】
そして、このような玄米を受入処理部１の荷受けホッパー７から受け入れると、受け入れ処理をして、荷受け用計量機１０による計量処理が行われた後に、玄米荷受けタンク１２に一旦貯留される。そのとき、その受け入れ処理の開始日時及び終了日時が計測されて管理装置６にて記憶され、荷受け用計量機１０による計量結果も合わせて記憶される。この受入処理における処理の内容に対して前記玄米の情報を加えた内容が、受入処理における処理情報であるジョブナンバー「００１」として記憶して管理される。つまり、ジョブナンバー「００１」についての情報としては、「原料米（玄米）の情報、平成１４年１月２７日○時○分受け入れ開始、○時○分終了、１０．２トン」というような内容になる。
【００５５】
次に、前記玄米貯蔵部２においては、前記受入処理部１から送られてくる玄米について、粗選機１４や石抜き機１６による選別処理の後、選別玄米用計量機１８での計量処理及び複数の玄米貯蔵タンク２０への貯蔵処理が行われる。そのとき、その玄米貯蔵処理の開始日時及び終了日時についての情報及び玄米貯蔵タンク２０へ何トンづつ貯蔵したかについての情報が記憶される。又、選別玄米用計量機１７による計量結果についても管理されてそれらの情報も記憶されることになる。
【００５６】
そして、前記ジョブナンバー「００１」に対応する受け入れ処理が行われた玄米を貯蔵処理対象とする場合には、このような玄米貯蔵処理における玄米貯蔵処理の開始日時及び終了日時についての内容に、ジョブナンバー「００１」を付け加えた情報が、玄米貯蔵処理における処理情報であるジョブナンバー「００２」として記憶し管理される。つまり、玄米貯蔵処理における処理情報としてのジョブナンバー「００２」としては、「ジョブナンバー「００１」、平成１４年１月２７日○時○分処理開始、○時○分終了、１０．１１７トン、玄米貯蔵タンク○へ５トン、玄米貯蔵タンク○へ５．１１７トン」というような内容となる。このとき、それに含まれるジョブナンバー「００１」が前記関連識別情報に対応することになる。
【００５７】
次に、前記精米処理部３においては、玄米貯蔵タンク２０に貯蔵されている玄米のうち別途作業員によって指示される精米処理の指示に対して必要とされる重量の玄米をいずれかのタンクから排出して、精米処理並びに不良粒の除去等の処理を行う。そのとき、その精米処理の開始日時及び終了日時が計測されて管理装置６にて記憶され、どの玄米貯蔵タンク２０からどれだけ排出したかについての情報も合わせて記憶される。又、処理用玄米計量機２３、歩留り用の計量機２７、及び、精米計量機３３の夫々の計量結果も記憶されて別途管理されることになる。
【００５８】
そのとき、例えば、前記ジョブナンバー「００２」の情報に対応する精米貯蔵処理が行われた玄米を精米処理対象とする場合には、上記したような精米処理における処理内容にジョブナンバー「００２」を付け加えた情報が、精米処理における処理情報であるジョブナンバー「００３」として記憶し管理される。つまり、ジョブナンバー「００３」としては、「ジョブナンバー「００２」、平成１４年１月２７日○時○分処理開始、○時○分終了、玄米貯蔵タンク○より３．９トン使用」というような内容となる。このとき、それに含まれるジョブナンバー「００２」が前記関連識別情報に対応することになる。
【００５９】
次に、前記精米貯蔵部４においては、精米処理が行われた精米について複数の精米貯蔵タンク３５への貯蔵処理が行われる。そのとき、その精米貯蔵処理の開始日時及び終了日時が計測されて管理装置６にて記憶され、どの精米貯蔵タンク３５にどれだけ貯蔵したかについての情報も記憶される。
【００６０】
そして、前記ジョブナンバー「００３」の情報に対応する精米処理が行われた玄米を精米貯蔵処理対象とする場合には、上述したような精米処理における処理内容に、前記ジョブナンバー「００３」を付加した情報が、精米貯蔵処理における処理情報の一例であるジョブナンバー「００４」として記憶し管理される。つまり、ジョブナンバー「００４」としては、「ジョブナンバー「００３」、平成１４年１月２７日○時○分処理開始、○時○分終了、精米貯蔵タンク○へ３．８９トン」というような内容となる。このとき、それに含まれるジョブナンバー「００３」が前記関連識別情報に対応することになる。
【００６１】
又、前記精米貯蔵部４においては、各精米貯蔵タンク３５から精米を取り出して異物除去装置３８にて精米中に含まれるガラス粒や小さい異物等を除去する精米取出処理が行われる。そのとき、どの精米貯蔵タンク３５からどれだけ取り出したかについての情報が管理装置６にて記憶される。
そして、前記ジョブナンバー「００４」の情報に対応する精米を処理対象とする場合には、上述したような取り出し処理における処理内容に、前記ジョブナンバー「００４」を付加した情報がジョブナンバー「００５」として記憶し管理される。つまり、ジョブナンバー「００５」としては、「ジョブナンバー「００４」、平成１４年１月２７日○時○分処理開始、○時○分終了、精米貯蔵タンク○より３．８９トン」というような内容となる。このとき、それに含まれるジョブナンバー「００４」が前記関連識別情報に対応することになる。
【００６２】
更に、前記精米貯蔵部４においては、最終的な製品としての精米を複数の製品貯蔵タンク４０に貯蔵する製品収納処理が行われる。そのとき、どの製品貯蔵タンクにどれだけ収納したかについての情報が管理装置６にて記憶される。
そして、前記ジョブナンバー「００５」の情報に対応する精米を処理対象とする場合には、上述したような製品収納処理における処理内容に、前記ジョブナンバー「００５」を付加した情報がジョブナンバー「００６」として記憶し管理される。つまり、ジョブナンバー「００６」としては、「ジョブナンバー「００５」、平成１４年１月２７日○時○分処理開始、○時○分終了、製品貯蔵タンク○へ３．８９トン」というような内容となる。このとき、それに含まれるジョブナンバー「００５」が前記関連識別情報に対応することになる。
【００６３】
次に、前記包装処理部５においては、製品貯蔵タンク４０に貯蔵されている玄米のうち指示される出荷処理の指示に対して必要とされる重量の精米をいずれかのタンクから排出して、自動袋詰め装置４６によって所定量づつ包袋に袋詰めして密封状態に閉塞する。そして、このように袋詰めされた包袋がベルトコンベア４９により整袋部４７にまで載置搬送されて、中央寄せ具５０にて搬送幅中央位置に包袋を移動しながら搬送され、その搬送方向下手側に設けられた整袋装置４７により下面側が扁平状態となるように包袋の形状を整えられる。そして、印字部４８において、インクジェット式の印字装置５５によって包袋ｈの下面の搬送幅方向中央位置に識別用情報としての包装処理部５におけるジョブナンバーを印字する構成となっている。
【００６４】
この包装処理部５におけるジョブナンバーについて説明を加えると、出荷指示があり、例えば、前記ジョブナンバー「００６」として管理されている精米を２トン排出させて１袋あたり１０Ｋｇづつ袋詰め処理するような処理が行われる。そのとき、包装処理の開始日時及び終了日時が計測されて管理装置６にて記憶され、製品貯蔵タンク４０に備えられた計量機４２による計量結果からどの製品貯蔵タンク４０から何トン排出したかについての情報も記憶される。
【００６５】
このような包装処理における処理内容に、前記ジョブナンバー「００６」を付加した情報が、包装処理における処理情報であるジョブナンバー「００７」として記憶し管理される。つまり、ジョブナンバー「００７」としては、「ジョブナンバー「００４」、平成１４年１月２７日○時○分処理開始、○時○分終了、製品貯蔵タンク○から２トン出荷」というような内容となる。このとき、それに含まれるジョブナンバー「００６」が前記関連識別情報に対応することになる。
【００６６】
そして、図８に示すように、この包装処理が実行された日付と、包装処理における処理情報としてのジョブナンバー「００７」という文字が包袋に印字されることになる。つまり、この包装処理が実行された日付と、包装処理における処理情報としてのジョブナンバー「００７」という文字が前記識別用情報に対応することになる。
【００６７】
次に、出荷指示として、「新潟産のコシヒカリ」とそれ以外の品種例えば「あきたこまち」とを１トンづつブレンドして出荷するようなブレンド指示があった場合には、例えば前記ジョブナンバー「００４」として管理されている精米と、「あきたこまち」に対応する他のジョブナンバー例えば「０１３」として管理されている精米とを対応する精米貯蔵タンクから同時に排出させてブレンドさせながら搬送して１つの製品貯蔵タンクに搬送して貯蔵し、その製品貯蔵タンクから排出して自動袋詰め装置４２によって所定量づつ袋詰めすることになる。
この場合の包装処理における処理情報であるジョブナンバーを「００８」とすると、このジョブナンバー「００８」は、「平成１４年１月２７日○時○分開始、○時○分終了、ジョブナンバー「００４」を精米貯蔵タンク○○より１トン出荷、ジョブナンバー「０１３」を精米貯蔵タンク○○から１トン出荷、製品貯蔵タンク○○へ計２トン、製品貯蔵タンク○○から２トン出荷」というような内容となる。この包装処理が実行された日付とこのジョブナンバー「００８」という文字が包袋に印字されることになる。尚、ジョブナンバー「０１３」として管理されて精米貯蔵されているものは、受入れ処理における処理情報としてのジョブナンバー「０１０」、玄米貯蔵処理における処理情報としてのジョブナンバー「０１１」、精米処理における処理情報としてのジョブナンバー「０１２」等により夫々管理されるものである。
【００６８】
前記印字部４８において行われる情報添付処理は、紫外線が照射されることにより可視状態となるインクを用いて行われるものである。つまり、識別用情報を透明インクで印字する工程とその印字領域に蛍光剤を塗布する塗布工程とを行うものである。説明を加えると、透明インクとは、色素を含まない印刷用インクであり、印字される際には無色透明でありに肉眼では目視することはできない。しかし、その印字領域に蛍光剤を塗布することによって、その出荷された後において、印字内容を確認するときに、その印字領域に紫外線を照射すると、透明インクが塗布された部分と、それ以外の蛍光剤塗布部分とでは蛍光剤の付着状態が異なり、蛍光に対する反射率が異なり、印字された透明インク部分が周囲から判別可能な可視状態となるのである。
【００６９】
又、この情報添付処理は、ベルトコンベア５３により載置搬送される包袋ｈの下面に印字されるように構成され、しかも、包袋ｈの中央位置に印字される構成となっている。つまり、包袋ｈは、図８に示すように、通気性をよくするために長手方向の左右両側の側辺に長手方向に沿って小径の通気孔ｔが多数形成されており、この通気孔ｔから印刷用のインクが包袋の内部に入ることがないように、包袋をその長手方向が搬送方向に沿うように中央寄せ具４９により姿勢を修正するようにして、幅方向中央部に印字装置５１が作用するように配置構成されている。
【００７０】
前記管理装置６による各処理についての処理情報としてのジョブナンバーの対応関係を図に示す流れ図で表すことができる。つまり、ブレンド処理を行わない場合の処理の流れが図９に示しており、ブレンド処理を行う場合の処理の流れが図１０に示している。この図９、図１０の実線で示す流れのように、荷受けされる玄米についての情報が基の情報となり、その玄米の情報に対して荷受け処理、玄米貯蔵処理、精米処理、精米貯蔵処理、包装処理の夫々の作業実績のデータが順次関連付けられた情報（ジョブナンバー）として管理されて記憶されることになる。ここで、前記各処理において管理される処理情報としてのジョブナンバーの中に付される前工程のジョブナンバーが関連する処理同士を関連付けて識別できる関連識別情報に対応することになる。
【００７１】
そして、包袋に印字される包装処理が実行された日付と包装処理の処理情報、（ジョブナンバー「００７」や「００８」という文字）が識別用情報に対応しており、この識別用情報は、原料米情報と連係付けた識別用情報として機能するとともに、受入処理から包装処理までの生産過程情報に連係付けた識別用情報として機能することになる。
【００７２】
又、前記管理装置６は上記したような管理情報に対応する識別用情報を全て記憶しているので、包袋が出荷された後においても、作業員が包袋に印字されているジョブナンバーを確認するとともに、管理装置６により記憶されている記憶情報とを対比させて確認することで、図９、図１０の破線で示すように、どのような作業工程を経て生産されたものであるかの経歴を辿っていくことができ、包袋に収納されている精米がどのような玄米を原料米として生産されたものであり、どのような生産工程を経て生産されたものであるかを容易に確認することが可能となる。
【００７３】
前記管理装置６の画面表示部における表示内容にて具体的に説明すると、図１１に示すように、包袋に記載されている日付を指定すると、その日に行われた処理についての多数のジョブナンバーの一覧が一覧表示部Ｄ１に表示される。そして、包袋に付されているジョブナンバー「００７」を指定すると、詳細表示部Ｄ２に上述したように関連した処理としてのジョブナンバー「００６」〜「００１」の内容が表示され、どのような玄米を原料米として生産されたものであり、どのような生産工程を経て生産されたものであるかを容易に確認することができるのである。
尚、画面の表示形態としては、詳細表示部Ｄ２に各ジョブナンバーの内容が一覧で表示されるものに代えて、ジョブナンバー「００７」を指定すると「００７の内容だけが表示され、そこに含まれる「００６」について一覧表示部Ｄ１にて指定すると、ジョブナンバー「００６」の内容が表示され、以下、順次、関連するジョブナンバーを指定して表示させるようにしてもよい。
【００７４】
〔第２実施形態〕
以下、本発明に係る精米設備の第２実施形態について図面に基づいて説明する。
この実施形態では、原料米を受け入れてから包装処理が行われるまでの上述したような一連の処理が行われる各部に対応させて、原料米の性状を計測する性状計測部が備えられ、包袋に詰める原料米及び精米の性状情報を管理して、その性状情報又はその性状情報と連係付けた識別用情報を包袋に付する情報添付処理を行うように構成されている。尚、これらの性状情報の計測が行われる構成以外の他の構成は、第１実施形態と同じであるから、異なる部分について説明し、同じ構成については、説明は省略する。
【００７５】
この実施形態の精米設備は、図１２に示すように、第１実施形態の場合と同様な、受入処理部１、玄米貯蔵部２、精米処理部３、精米貯蔵部４、包装処理部５、及び、上記各処理間で玄米及び精米を搬送する搬送処理を行う搬送手段夫々が備えられているが、そのような構成に加えて、前記各部にて処理が行われるとき又は処理が終了したのち原料米の性状情報を計測する性状計測部Ｋ１〜Ｋ５が備えられている。この性状計測部Ｋ１〜Ｋ５が計測する性状情報としては、例えば、含有水分、食味値、着色粒や砕粒等の不良粒の割合等を示す品質の情報、白度についての情報等の各種の情報がある。
【００７６】
そして、管理装置６は、前記各性状計測部Ｋ１〜Ｋ５にて計測された計測結果である性状情報が第１実施形態における各処理に対応するジョブナンバーに含まれる状態で情報を管理するようになっている。
【００７７】
従って、この第２実施形態では、第１実施形態の場合と同様にして、包袋に印字される包装処理が実行された日付と包装処理の処理情報（ジョブナンバー）が、原料米情報と連係付けた識別用情報としての機能と、受入処理から包装処理までの生産過程情報に連係付けた識別用情報としての機能とを備えることに加えて、包袋に詰める原料米及び精米の性状情報と連係付けた識別用情報としての機能も備えることになる。
【００７８】
尚、前記性状情報としては、上記したような各種の情報を全て計測する構成としてもよいが、それらのうちの１つ又は２つ以上の情報を計測するものでもよい。又、前記各処理部の夫々に性状計測部を備える構成に限らず、前記各処理部のうちのいずれか１つ又は２つ以上のものに前記性状計測部を備えるようにしてもよい。
【００７９】
〔別実施形態〕
以下、別実施形態を列記する。
【００８０】
（１）上記第１実施形態では、前記包装処理の処理情報を、原料米情報と連係付けた識別用情報、及び、生産過程情報に連係付けた識別用情報として用いるようにしたものを例示し、第２実施形態では、包装処理の処理情報を、原料米情報と連係付けた識別用情報、生産過程情報に連係付けた識別用情報、及び、原料米の性状情報と連係付けた識別用情報として用いるようにしたものを例示したが、このような構成に代えて、次のように構成してもよい。
前記原料米情報と連係付けた識別用情報、前記生産過程情報と連係付けた識別用情報、及び、前記性状情報と連係付けた識別用情報について、それらのうちの２つ以上のものを備えるものに限らず、それらのいずれかの情報だけを備える状態で包袋に印字する構成としてもよい。
【００８１】
（２）上記実施形態では、前記受入処理、前記原料米貯蔵処理、前記精米処理、前記精米貯蔵処理、前記包装処理の夫々についての処理情報を関連する処理同士を関連付けて識別できる関連識別情報を付する状態で作成して管理する構成として、前記包装処理の処理情報（ジョブナンバー）を前記識別用情報として包袋に付するようにしたが、このような構成に代えて次のように構成してもよい。
前記生産過程情報に連係した識別用情報として、原料米及び精米が通過した前記各処理工程における夫々の処理情報を全て包袋に付する構成としてもよい。
前記原料米情報に連係した識別用情報、前記生産過程情報に連係した識別用情報、又は、前記性状情報に連係した識別用情報に代えて、前記原料米情報、前記生産過程情報、又は、前記性状情報をそのまま包袋に付する構成としてもよい。
【００８２】
（３）上記実施形態では、前記印字部において載置搬送される包袋の下面に対して印字が行われる構成としたが、このような構成に代えて、図１３に示すように、印字装置５５がベルトコンベア５３にて載置搬送される包袋ｈの上面に対して印字を行う構成としてもよい。このように構成した場合には、包袋ｈに収納される精米の量が異なった場合には、コンベア載置面から包袋の上面までの距離が変化することがあるので、印字装置５５は上下方向に位置調整自在に支持して適宜位置調整する構成にするとよい。
【００８３】
（４）上記実施形態では、精米貯蔵タンクとは別に製品貯蔵タンクを備えて、前記精米貯蔵処理と前記包装処理との間に、精米取出処理及び製品収納処理を夫々実行する構成としたが、製品貯蔵タンクを備えないで、精米貯蔵タンクから取り出した精米を異物除去したのちにそのまま包装処理するような構成としてもよい。
【００８４】
（５）上記実施形態では、異なる品種の精米をブレンドする場合に、異なる精米貯蔵タンクに貯蔵されているもの同士を１つの製品貯蔵タンクに供給するようにしてブレンドを行う構成を例示したが、このような構成に限らず、受入処理部にて受け入れた後に玄米貯蔵タンクに貯蔵するときに、異なる品種のもの同士を同じ玄米貯蔵タンクに貯蔵させるようにしてブレンドを行う構成としてもよく、又、精米処理が終了して精米貯蔵タンクに貯蔵するときに、異なる品種のもの同士を同じ精米貯蔵タンクに貯蔵させるようにしてブレンドを行う構成としてもよい。
【００８５】
（６）上記実施形態では、前記情報添付処理として、前記識別情報を透明インクで印字する工程とその印字領域に蛍光剤を塗布する塗布工程とを行う構成としたが、このような構成に代えて、次の（ニ）〜（ト）に記載するような構成にて行うようにしてもよい。
（ニ）透明インクと蛍光剤とが予め混合された状態のインクを用いて、印字装置にてそのまま印字させる構成としてもよい。
（ホ）透明インクに代えて色素を含んだ通常の印刷用インクを用いて可視状態で印字する構成としてもよい。
（ヘ）インクを用いて文字情報等を印字する構成に代えて、バーコード表示にて、上記したような情報を包袋に付するようにしてもよい。
（ト）インクやバーコードによる表示に代えて、無線通信にて前記識別用情報を入力並びに送信自在な無電源無線通信式のＩＣタグを包袋に付するようにしてもよい。説明を加えると、このＩＣタグは、不揮発性のメモリーと、このメモリーに対するデータの書込み及び読み出しを非接触状態で外部の送信装置との間で無線通信によって行う情報処理部とを備えるものであり、包袋に付するようにしても邪魔にならない小型の装置として構成されている。又、外部の送信装置から電磁波を受信することにより、データの書込み及び読み出し用の電力を起電してデータ処理を行う構成となっており、バッテリーが不要な構成となっている。従って、包袋が出荷されて長時間が経過しても無線通信にてデータの読み出しが行えるものである。
【００８６】
（７）上記実施形態では、前記情報添付処理が、包装処理後の包袋に対して行われる構成としたが、このような構成に代えて、包袋に収納される精米がどのようなジョブナンバーを有するものであるかについて管理しながら、包袋とそのジョブナンバーとが対応するように管理を行っている状態において、包装処理が行われる前の包袋に対して印字を行う構成としてもよい。
【図面の簡単な説明】
【図１】精米設備のブロック図
【図２】各部の構成を示す構成図
【図３】各部の構成を示す構成図
【図４】各部の構成を示す構成図
【図５】整袋部と印字部を示す図
【図６】整袋部と印字部を示す図
【図７】ベルトの断面図
【図８】包袋の印字状態を示す図
【図９】処理情報の流れを示す図
【図１０】処理情報の流れを示す図
【図１１】管理装置の表示内容を示す図
【図１２】第２実施形態の精米設備のブロック図
【図１３】別実施形態の整袋部と印字部を示す図
【符号の説明】
６            管理手段
ｈ            包袋
ｔ            通気孔
【図１】
2004305899.tif 000003
【図２】
2004305899.tif 000004
【図３】
2004305899.tif 000005
【図４】
2004305899.tif 000006
【図５】
2004305899.tif 000007
【図６】
2004305899.tif 000008
【図７】
2004305899.tif 000009
【図８】
2004305899.tif 000010
【図９】
2004305899.tif 000011
【図１０】
2004305899.tif 000012
【図１１】
2004305899.tif 000013
【図１２】
2004305899.tif 000014
【図１３】
2004305899.tif 000015